(57)【要約】【課題】容器の多孔質内部に浸み込んだ汚れを有効に除去することができる洗浄方法を提供する。【解決手段】容器の形状を有する多孔質の洗浄対象物１０を洗浄する方法は、第１工程と、第２工程とを含む。第１工程では、洗浄対象物１０の多孔内部から汚れを追い出すように、洗浄対象物１０の内面に洗浄液３０を接触させて放置することにより、洗浄対象物１０に洗浄液３０を含浸させる。洗浄液３０は、例えば重曹を含んだ温水である。更に、洗浄液３０を除去して洗浄対象物１０を乾燥させたうえ、洗浄対象物１０の外面に析出した重曹を汚れとともに擦り取る。第２工程では、洗浄対象物１０の内面に残った重曹が溶け出すように、洗浄対象物１０の内面に温水を接触させる。【選択図】図１
2020089473.tif 000002
【特許請求の範囲】
【請求項１】
容器の形状を有する多孔質の洗浄対象物を洗浄する洗浄方法であって、
第１工程と、第２工程とを含み、
前記第１工程では、前記洗浄対象物の多孔内部から汚れを追い出すように、前記洗浄対象物に洗浄液を含浸させ、
前記第２工程では、前記洗浄対象物の表面から前記洗浄液の成分を溶出により除去する、洗浄方法。
【請求項２】
前記第１工程は、
前記洗浄対象物に前記洗浄液を接触させる接触工程と、
前記洗浄液に接触した状態で前記洗浄対象物を一定時間放置する放置工程と、
前記洗浄液を除去して前記洗浄対象物を乾燥させる乾燥工程と、
前記乾燥工程において析出した前記洗浄液の成分を前記汚れとともに機械的に除去する除去工程と
を含む、請求項１に記載の洗浄方法。
【請求項３】
前記放置工程は、前記洗浄対象物の多孔内部から汚れとともに浸み出した洗浄液を吸収するように、前記洗浄対象物に吸水物を接触させる工程を含む、請求項２に記載の洗浄方法。
【請求項４】
前記第１工程は、前記接触工程の前に前記洗浄対象物を乾燥させる工程を更に含む、請求項２に記載の洗浄方法。
【請求項５】
前記第２工程は、前記洗浄対象物の表面に温水を接触させる工程を含む、請求項１から請求項４のいずれか１項に記載の洗浄方法。
【請求項６】
前記洗浄液は、重曹を含んだ温水である、請求項１から請求項５のいずれか１項に記載の洗浄方法。
【請求項７】
容器の形状を有する多孔質の洗浄対象物を洗浄する洗浄方法に用いられる洗浄容器であって、
前記洗浄対象物に接する吸水物と、
前記吸水物を収容する容器と
を備えた、洗浄容器。
【請求項８】
容器の形状を有する多孔質の洗浄物を生産する洗浄物生産方法であって、
含浸工程と、溶出工程とを含み、
前記含浸工程では、容器の形状を有する多孔質の未洗浄物の多孔内部から汚れを追い出すように、前記未洗浄物に洗浄液を含浸させ、
前記溶出工程では、前記未洗浄物の表面から前記洗浄液の成分を溶出させる、洗浄物生産方法。
【発明の詳細な説明】
【技術分野】
【０００１】
本発明は、洗浄方法、洗浄容器及び洗浄物生産方法に関する。
【背景技術】
【０００２】
特許文献１の洗浄方法では、次亜塩素酸ナトリウムを含んだ塩素系漂白剤を前処理剤として使用する。
【先行技術文献】
【特許文献】
【０００３】
【特許文献１】特開２０１７−２９５１９号公報
【発明の概要】
【発明が解決しようとする課題】
【０００４】
陶器製の食器又は陶器製の花瓶のような容器は、多孔質の素材を用いて製造される。表面に釉薬を塗布せずに焼成された陶器製の容器では、汚れが多孔質内部に浸み込む。また、萩焼の茶碗では、表面の釉薬がひび割れたような状態となるので、茶渋が汚れとして多孔質内部に浸み込む。
【０００５】
ところが、特許文献１の塩素系漂白剤を使用する洗浄方法では、容器の多孔質内部に浸み込んだ汚れを有効に除去することができない。
【０００６】
本発明は、容器の多孔質内部に浸み込んだ汚れを有効に除去することができる洗浄方法と、その洗浄方法に好適な洗浄容器と、多孔質内部に浸み込んだ汚れを有効に除去した洗浄物を生産する洗浄物生産方法とを提供することを目的とする。
【課題を解決するための手段】
【０００７】
本発明の洗浄方法は、容器の形状を有する多孔質の洗浄対象物を洗浄する洗浄方法であって、第１工程と、第２工程とを含む。前記第１工程では、前記洗浄対象物の多孔内部から汚れを追い出すように、前記洗浄対象物に洗浄液を含浸させる。前記第２工程では、前記洗浄対象物の表面から前記洗浄液の成分を溶出により除去する。
【０００８】
前記第１工程は、接触工程と、放置工程と、乾燥工程と、除去工程とを含む。前記接触工程では、前記洗浄対象物に前記洗浄液を接触させる。前記放置工程では、前記洗浄液に接触した状態で前記洗浄対象物を一定時間放置する。前記乾燥工程では、前記洗浄液を除去して前記洗浄対象物を乾燥させる。前記除去工程では、前記乾燥工程において析出した前記洗浄液の成分を前記汚れとともに機械的に除去する。
【０００９】
前記放置工程は、前記洗浄対象物の多孔内部から汚れとともに浸み出した洗浄液を吸収するように、前記洗浄対象物に吸水物を接触させる工程を含む。
【００１０】
前記第１工程は、前記接触工程の前に前記洗浄対象物を乾燥させる工程を更に含む。
【００１１】
前記第２工程は、前記洗浄対象物の表面に温水を接触させる工程を含む。
【００１２】
前記洗浄液は、重曹を含んだ温水である。
【００１３】
本発明の洗浄容器は、容器の形状を有する多孔質の洗浄対象物を洗浄する洗浄方法に用いられる洗浄容器であって、前記洗浄対象物に接する吸水物と、前記吸水物を収容する容器とを備える。
【００１４】
本発明の洗浄物生産方法は、容器の形状を有する多孔質の洗浄物を生産する洗浄物生産方法であって、含浸工程と、溶出工程とを含む。前記含浸工程では、容器の形状を有する多孔質の未洗浄物の多孔内部から汚れを追い出すように、前記未洗浄物に洗浄液を含浸させる。前記溶出工程では、前記未洗浄物の表面から前記洗浄液の成分を溶出させる。
【発明の効果】
【００１５】
本発明によれば、容器の多孔質内部に浸み込んだ汚れを有効に除去することができる洗浄方法と、その洗浄方法に好適な洗浄容器と、多孔質内部に浸み込んだ汚れを有効に除去した洗浄物を生産する洗浄物生産方法とを提供することができる。
【図面の簡単な説明】
【００１６】
【図１】本発明の実施形態に係る洗浄容器の一例を洗浄対象物の一例とともに示す断面図である。
【図２】本発明の実施形態に係る洗浄方法の一例を示すフローチャートである。
【図３】第１工程の詳細の一例を示すフローチャートである。
【図４】第２工程の詳細の一例を示すフローチャートである。
【図５】洗浄容器の変形例を示す断面図である。
【発明を実施するための形態】
【００１７】
以下、本発明の実施形態について、図１〜図５を参照しながら説明する。なお、図中、同一又は相当部分については同一の参照符号を付して説明を繰り返さない。
【００１８】
まず、図１を参照して、実施形態に係る洗浄容器２０及び洗浄対象物１０について説明する。図１は、実施形態に係る洗浄容器２０の一例を洗浄対象物１０の一例とともに示す断面図である。
【００１９】
図１に示すように、洗浄容器２０は、洗浄対象物１０を洗浄する際に使用される容器である。洗浄容器２０は、吸水物２１と、容器２２とを備える。吸水物２１の上に洗浄対象物１０が載せられる。容器２２は、吸水物２１を収容する。
【００２０】
吸水物２１は、例えば吸水ポリマーを含む。吸水物２１として、ペット用の吸水シートが好適に使用可能である。
【００２１】
容器２２は、洗浄対象物１０が入る大きさを持つ。容器２２は、例えばプラスチックで構成される。
【００２２】
洗浄対象物１０は、容器の形状を有する多孔質の洗浄対象物である。洗浄対象物１０には、食器又は花瓶のような陶器製の容器が含まれる。食器には、茶碗、盃が含まれる。以下、洗浄対象物１０が萩焼の茶碗であるものとして説明を進める。
【００２３】
洗浄対象物１０は、本体部１１と、高台部１２とを備える。本体部１１は、容器としての機能を果たす主要部分であって、開口を有する。高台部１２は、本体部１１を安定的に支持するための円環状の突出部分である。
【００２４】
洗浄対象物１０は、本体部１１の表面に釉薬が塗布され、高台部１２の表面に釉薬が塗布されない状態で、焼成されたものである。本体部１１の表面の釉薬はひび割れたような状態となる。したがって、本体部１１に茶が入れられると、茶渋が汚れとして多孔質内部に浸み込む。
【００２５】
本体部１１には、洗浄液３０が入れられる。洗浄液３０は、例えば重曹を含んだ温水である。好ましくは、９０℃の温水１００グラムあたりに、８グラムの重曹を入れる。重曹の濃度は約７．４重量％である。常温の水でもよいが、洗浄速度を上げるために温水の方が好ましい。重曹を含んだ温水に代えて、非塩素系漂白剤を含んだ温水でもよい。洗浄液３０は、本体部１１の内面に接触する。
【００２６】
次に、図１及び図２を参照して、実施形態に係る洗浄方法について説明する。図２は、実施形態に係る洗浄方法の一例を示すフローチャートである。
【００２７】
図２に示すように、実施形態に係る洗浄方法は、第１工程Ｓ１００と、第２工程Ｓ２００とを含む。
【００２８】
第１工程Ｓ１００：洗浄対象物１０の多孔内部から汚れを追い出すように、洗浄対象物１０に洗浄液３０を含浸させる。具体的には、図１に示すように、本体部１１の内面に洗浄液３０を接触させることにより、洗浄対象物１０に洗浄液３０を含浸させる。その結果、洗浄対象物１０の多孔内部から汚れが追い出される。
【００２９】
第２工程Ｓ２００：洗浄対象物１０の表面から洗浄液３０の成分を溶出により除去する。具体的には、本体部１１の内面に残った重曹を温水で溶かし出す。その結果、洗浄対象物１０の洗浄が完了する。
【００３０】
次に、図１及び図３を参照して、第１工程Ｓ１００の詳細について説明する。図３は、第１工程Ｓ１００の詳細の一例を示すフローチャートである。
【００３１】
工程Ｓ１０２：洗浄対象物１０を乾燥させる。乾燥機を用いることにより、自然乾燥の場合に比べて乾燥に要する時間を短縮することができる。
【００３２】
工程Ｓ１０４：洗浄対象物１０に洗浄液３０を接触させる（接触工程）。まず、乾燥した洗浄対象物１０を吸水物２１の上に載せる。洗浄対象物１０は、本体部１１の開口が上を向くように置かれる。次に、本体部１１の内面の略全部が洗浄液３０と接触するように、本体部１１の中に洗浄液３０を入れる。洗浄液３０は、本体部１１の多孔内部に浸み込む。工程Ｓ１０４の前に工程Ｓ１０２を実施しない場合に比べて、工程Ｓ１０２を実施して洗浄対象物１０を乾燥状態にすることにより、多孔内部への洗浄液３０の浸み込み量が多くなる。なお、本体部１１の外で調合し終えた洗浄液３０を本体部１１に流し込むことが好ましい。本体部１１の中で重曹水を調合する場合には、重曹の粉末を入れた後に所定量の温水を流し込むとよい。本体部１１の乾燥した内面に、重曹を含まない温水が接触することを避けるためである。
【００３３】
工程Ｓ１０６：洗浄液３０に接触した状態で洗浄対象物１０を一定時間放置する（放置工程）。しかも、洗浄対象物１０の多孔内部から汚れとともに浸み出した洗浄液３０を吸収するように、洗浄対象物１０に吸水物２１を接触させる。具体的には、図１に示すように本体部１１に洗浄液３０を入れた状態で、半日間ないし１日間放置する。本体部１１の洗浄液３０が目減りした場合には、本体部１１に洗浄液３０を補充すると洗浄効率が向上する。
【００３４】
洗浄液３０は、工程Ｓ１０６において、洗浄対象物１０の多孔内部から汚れとともに本体部１１の外面へ浸み出し、また高台部１２の表面へ浸み出す。釉薬塗布の有無に起因して、本体部１１の外面よりも、高台部１２の表面の方が浸み出し量が多い。高台部１２の表面に浸み出した洗浄液３０と汚れは、高台部１２に接触した吸水物２１に吸収される。吸水物２１による洗浄液３０及び汚れの吸収により、洗浄対象物１０の多孔内部における洗浄液３０及び汚れの移動が促進される。
【００３５】
工程Ｓ１０８：洗浄液３０を除去して洗浄対象物１０を乾燥させる（乾燥工程）。乾燥により、洗浄液３０の成分が析出する。具体的には、洗浄容器２０から洗浄対象物１０を取り出し、本体部１１の中に残った洗浄液３０を流し去る。そして、洗浄対象物１０を乾燥させる。乾燥機を用いることにより、自然乾燥の場合に比べて乾燥に要する時間を短縮することができる。
【００３６】
工程Ｓ１１０：工程Ｓ１０８において析出した洗浄液３０の成分を汚れとともに機械的に除去する（除去工程）。具体的には、本体部１１の外面に重曹が析出する。そこで、本体部１１の外面を擦ること又は水洗いにより、汚れとともに重曹を除去する。
【００３７】
工程Ｓ１１２：洗浄対象物１０に汚れが残っているか否かを判定する。洗浄対象物１０に汚れが残っていると判定された場合（工程Ｓ１１２でＹＥＳ）には、手順が工程Ｓ１０４へ戻る。洗浄対象物１０に汚れが残っていないと判定された場合（工程Ｓ１１２でＮＯ）には、第１工程Ｓ１００が終了する。
【００３８】
次に、図１及び図４を参照して、第２工程Ｓ２００の詳細について説明する。図４は、第２工程Ｓ２００の詳細の一例を示すフローチャートである。
【００３９】
工程Ｓ２０２：洗浄対象物１０の表面に温水を接触させる。具体的には、本体部１１の中に温水を入れる。本体部１１の内面が温水と接触する。その結果、本体部１１の内面に残った重曹が温水の中に溶け出す。また、本体部１１の多孔内部のうちの表層部分に残った重曹も溶け出す。
【００４０】
工程Ｓ２０４：温水を除去する。具体的には、本体部１１の中の温水を流し去る。
【００４１】
工程Ｓ２０６：洗浄対象物１０に洗浄成分が残っているか否かを判定する。洗浄対象物１０に洗浄成分が残っていると判定された場合（工程Ｓ２０６でＹＥＳ）には、手順が工程Ｓ２０２へ戻る。洗浄対象物１０に洗浄成分が残っていないと判定された場合（工程Ｓ２０６でＮＯ）には、第２工程Ｓ２００が終了する。具体的には、洗浄対象物１０の表面に重曹が残っているか否かが判定される。
【００４２】
実施形態によれば、洗浄対象物１０が有効に洗浄される。しかも、洗浄液３０に含まれる重曹は人体に無害であり、また無臭である点は、食器の洗浄の場合に好都合である。
【００４３】
なお、洗浄対象物１０の下に吸水物２１を配置するのではなく、洗浄対象物１０の外面に吸水シートを巻き付けるようにしてもよい。また、洗浄対象物１０の下に配置するものを、吸水物２１から重曹の粉末に代えてもよい。
【００４４】
次に、図５を参照して、洗浄容器２０の変形例について説明する。図５は、洗浄容器２０の変形例を示す断面図である。
【００４５】
図５の洗浄容器２０は、容器２２の中に吸水物２１を備えない点で、図１の洗浄容器２０と異なる。
【００４６】
図５の洗浄容器２０を用いる場合、容器２２の中に洗浄対象物１０を入れた後、洗浄対象物１０の外面に洗浄液３０が接触するように、容器２２の内面と洗浄対象物１０の外面との間に洗浄液３０を入れる。
【００４７】
図５の洗浄容器２０を用いる場合でも、図２〜図４を参照して説明した洗浄方法が適用される。図３に示す工程Ｓ１０６では、洗浄液３０が洗浄対象物１０の外面から多孔内部に浸み込む。また、洗浄対象物１０の多孔内部から本体部１１の内面側へ洗浄液３０が汚れとともに浸み出す。浸み出した洗浄液３０と汚れを吸収するように、本体部１１の中へ吸水物２１を挿入してもよい。工程Ｓ１１０では、本体部１１の内面に析出した重曹を汚れとともに除去する。図４に示す工程Ｓ２０２では、洗浄対象物１０の外面に温水が接触するように、容器２２の内面と洗浄対象物１０の外面との間に温水を入れる。
【００４８】
最後に、図１を参照して、実施形態に係る洗浄物生産方法について説明する。
【００４９】
図１に示した茶碗は、容器の形状を有する多孔質の未洗浄物１０の一例でもある。実施形態に係る洗浄物生産方法は、含浸工程と、溶出工程とを含む。
【００５０】
含浸工程では、未洗浄物１０の多孔内部から汚れを追い出すように、未洗浄物１０に洗浄液３０を含浸させる。具体的には、図１に示すように、本体部１１の内面に洗浄液３０を接触させることにより、洗浄対象物１０に洗浄液３０を含浸させる。その結果、洗浄対象物１０の多孔内部から汚れが追い出される。
【００５１】
溶出工程では、未洗浄物１０の表面から洗浄液３０の成分を溶出させる。具体的には、本体部１１の内面に残った重曹を温水で溶かし出す。その結果、容器の形状を有する多孔質の洗浄物が生産される。
【００５２】
上記した実施形態の説明は、本発明における好適な実施形態を説明しているため、技術的に好ましい種々の限定を付している場合もあるが、本発明の技術範囲は、特に本発明を限定する記載がない限り、これらの態様に限定されるものではない。すなわち、上記実施形態における構成要素は適宜、既存の構成要素等との置き換えが可能であり、かつ、他の既存の構成要素との組合せを含む様々なバリエーションが可能である。上記実施形態の記載をもって、特許請求の範囲に記載された発明の内容を限定するものではない。
【産業上の利用可能性】
【００５３】
本発明は、洗浄方法、洗浄容器及び洗浄物生産方法の分野に利用可能である。
【符号の説明】
【００５４】
１０  茶碗（洗浄対象物、未洗浄物）
１１  本体部
１２  高台部
２０  洗浄容器
２１  吸水物
２２  容器
３０  洗浄液
【図１】
2020089473.tif 000003
【図２】
2020089473.tif 000004
【図３】
2020089473.tif 000005
【図４】
2020089473.tif 000006
【図５】
2020089473.tif 000007